【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
相互に接触面を有する第一の部材及び第二の部材と、
前記第一の部材と前記第二の部材の各々に前記接触面に開口を有して形成された位置決め穴と、
前記位置決め穴に嵌合する位置決め治具とを有し、
前記第二の部材の前記位置決め穴が貫通孔にされ、
前記貫通孔内側にはガイド部が設けられ、
前記位置決め治具は、前記ガイド部に案内されて回転することによって直進力を生じる駆動部と、前記駆動部の直進方向に前記駆動部と連続して形成された位置決め部とを有し、
前記接触面とは逆側の前記貫通孔開口部から前記位置決め治具を前記貫通孔に挿入させ、
前記駆動部が回転することによって生じる直進力によって前記位置決め部が前記貫通孔内を直進して前記第一の部材の位置決め穴に嵌合することにより前記第一の部材と前記第二の部材とを位置決めすることを特徴とする位置決め機構。
【請求項２】
前記ガイド部が雌ねじとして形成され、
前記駆動部が前記雌ねじに螺合する雄ねじとして形成され、
前記位置決め部が前記位置決め穴に嵌合した状態で前記雄ねじが前記雌ねじに案内されて回転可能な螺合関係を前記雄ねじ及び前記雌ねじが有することを特徴とする請求項１に記載の位置決め機構。
【請求項３】
前記ガイド部が前記位置決め部の直進方向に等間隔に配置された突起部として形成されてなることを特徴とする請求項１に記載の位置決め機構。
【請求項４】
第一の部材と第二の部材とを位置決めするための位置決め治具であって、
雄ねじ部と、前記雄ねじ部と連続して一体に形成された位置決め部とを有し、
前記第一の部材と前記第二の部材の各々には位置決め穴が形成され、前記第二の部材の位置決め穴は貫通孔にされ、
前記貫通孔内側には前記雄ねじ部と螺合する雌ねじ部が設けられ、
前記雄ねじ部が回転することによって生じる直進力によって前記位置決め部が前記貫通孔内を直進して前記第一の部材の位置決め穴に嵌合することにより前記第一の部材と前記第二の部材とを位置決めすることを特徴とする位置決め治具。
【請求項５】
前記位置決め部を前記位置決め穴に嵌合したときの前記位置決め部と前記位置決め穴とのクリアランスは嵌め合い公差程度とされ、前記位置決め部が前記位置決め穴に嵌合された状態で、前記雄ねじ部が前記雌ねじ部に案内されて回転可能な螺合関係となるように当該雄ねじ部が前記雌ねじ部に対してアンダーサイズに加工されてなることを特徴とする請求項４に記載の位置決め治具。
【請求項６】
前記雄ねじ部の回転偏心量が、前記位置決め部と前記位置決め穴とのクリアランス値以下であることを特徴とする請求項４又は請求項５に記載の位置決め治具。
【請求項７】
前記雄ねじ部の有効径の寸法をｄ2(100)、基準有効径寸法をｄ2とした場合、前記雄ねじ部の有効径が１．５≦（ｄ2−ｄ2(100)）／ｄ2×１００≦４．０の範囲で設定されてなることを特徴とする請求項４乃至請求項６のいずれか一に記載の位置決め治具。
【請求項８】
前記位置決め部は、前記第一の部材に形成された位置決め穴と嵌合する第一位置決め部と、前記第二の部材に形成された位置決め穴と嵌合する第二位置決め部とを有し、
前記第一位置決め部の位置決め治具軸方向の寸法をｘ、前記雄ねじ部の位置決め治具軸方向の寸法をｙとした場合にｘ＜ｙの関係があることを特徴とする請求項４乃至請求項７のいずれか一に記載の位置決め治具。
【請求項９】
前記位置決め部の先端にテーパ部が設けられてなることを特徴とする請求項４乃至請求項８のいずれか一に記載の位置決め治具。
【請求項１０】
相互に接触面を有する第一の部材及び第二の部材と、
前記第一の部材と前記第二の部材の各々に相互の前記接触面に開口を有して形成された位置決め穴と、
前記位置決め穴に嵌合する位置決め治具とを有し、
前記第二の部材の前記位置決め穴が貫通孔にされ、
前記貫通孔内側にはガイド部が設けられ、
前記位置決め治具は、前記ガイド部に案内されて回転することによって直進力を生じる駆動部と、前記駆動部の直進方向に前記駆動部と連続して形成された位置決め部とを有し、
前記接触面とは逆側の前記貫通孔開口部から前記位置決め治具を前記貫通孔に挿入させ、
前記駆動部が回転することによって生じる直進力によって前記位置決め部が前記貫通孔内を直進して前記第一の部材の位置決め穴に嵌合することにより前記第一の部材と前記第二の部材とを位置決めする位置決め機構を用い、
（１）第二の部材の前記接触面とは逆側の貫通孔開口部から位置決め治具を挿入し、位置決め治具の雄ねじ部を、貫通孔の雌ねじ部に螺合させる工程と、
（２）位置決め治具を回転させ、位置決め治具のテーパ部が、第二の部材の位置決め孔から突出するまで位置決め治具の挿入を行う工程と、
（３）第一の部材の位置決め穴と第二の部材の位置決め孔とが一致するように第一の部材を第二の部材上に配置し、第二の部材の位置決め孔から出たテーパ部が第一の部材の位置決め穴内に収まるように第一の部材を配置する工程と、
（４）位置決め治具を回転させ締め込み第一の部材の位置決め穴内に嵌合させる工程と、
（５）テーパ部が第一の部材に当接した状態で、位置決め治具を締め込むことによって、第一の部材の位置決め穴と第二の部材の位置決め孔の位置合せを行なう工程と、
（６）第一の部材と第二の部材を位置決めした後、締結ボルトを螺設穴及び螺設孔に螺合させ、第一の部材と第二の部材を固定する工程とからなることを特徴とする位置決め方法。
【手続補正２】
【補正対象書類名】明細書
【補正対象項目名】発明の名称
【補正方法】変更
【補正の内容】
【発明の名称】位置決め機構、及び位置決め治具及び位置決め方法
【手続補正３】
【補正対象書類名】明細書
【補正対象項目名】０００８
【補正方法】変更
【補正の内容】
【０００８】
本発明は、以上の従来技術における問題点に鑑み、複数の部材からなる複合製品の各部材相互を容易に位置決めすることができる位置決め機構、及び部材相互の位置決めと分離を容易に行うことができる位置決め治具及び係る位置決め治具を用いた位置決め方法を提供することを目的とする。
【手続補正４】
【補正対象書類名】明細書
【補正対象項目名】０００９
【補正方法】変更
【補正の内容】
【０００９】
本発明に係る位置決め機構は、相互に接触面を有する第一の部材及び第二の部材と、前記第一の部材と前記第二の部材の各々に前記接触面に開口を有して形成された位置決め穴と、前記位置決め穴に嵌合する位置決め治具とを有し、前記第二の部材の前記位置決め穴が貫通孔にされ、前記貫通孔内側にはガイド部が設けられ、前記位置決め治具は、前記ガイド部に案内されて回転することによって直進力を生じる駆動部と、前記駆動部の直進方向に前記駆動部と連続して形成された位置決め部とを有し、前記接触面とは逆側の前記貫通孔開口部から前記位置決め治具を前記貫通孔に挿入させ、前記駆動部が回転することによって生じる直進力によって前記位置決め部が前記貫通孔内を直進して前記第一の部材の位置決め穴に嵌合することによって前記第一の部材と前記第二の部材とを位置決めすることを特徴とする。
【手続補正５】
【補正対象書類名】明細書
【補正対象項目名】００１７
【補正方法】変更
【補正の内容】
【００１７】
また、本発明に係る位置決め治具は、  前記位置決め部を前記位置決め穴に嵌合したときの前記位置決め部と前記位置決め穴とのクリアランスは嵌め合い公差程度とされ、前記位置決め部が前記位置決め穴に嵌合された状態で、前記雄ねじ部が前記雌ねじ部に案内されて回転可能な螺合関係となるように当該雄ねじ部が前記雌ねじ部に対してアンダーサイズに加工されてなることを特徴とする。
【手続補正６】
【補正対象書類名】明細書
【補正対象項目名】００２７
【補正方法】変更
【補正の内容】
【００２７】
また本発明に係る位置決め方法は、相互に接触面を有する第一の部材及び第二の部材と、前記第一の部材と前記第二の部材の各々に相互の前記接触面に開口を有して形成された位置決め穴と、前記位置決め穴に嵌合する位置決め治具とを有し、前記第二の部材の前記位置決め穴が貫通孔にされ、前記貫通孔内側にはガイド部が設けられ、前記位置決め治具は、前記ガイド部に案内されて回転することによって直進力を生じる駆動部と、前記駆動部の直進方向に前記駆動部と連続して形成された位置決め部とを有し、前記接触面とは逆側の前記貫通孔開口部から前記位置決め治具を前記貫通孔に挿入させ、前記駆動部が回転することによって生じる直進力によって前記位置決め部が前記貫通孔内を直進して前記第一の部材の位置決め穴に嵌合することにより前記第一の部材と前記第二の部材とを位置決めする位置決め機構を用い、
（１）第二の部材の前記接触面とは逆側の貫通孔開口部から位置決め治具を挿入し、位置決め治具の雄ねじ部を、貫通孔の雌ねじ部に螺合させる工程と、
（２）位置決め治具を回転させ、位置決め治具のテーパ部が、第二の部材の位置決め孔から突出するまで位置決め治具の挿入を行う工程と、
（３）第一の部材の位置決め穴と第二の部材の位置決め孔とが一致するように第一の部材を第二の部材上に配置し、第二の部材の位置決め孔から出たテーパ部が第一の部材の位置決め穴内に収まるように第一の部材を配置する工程と、
（４）位置決め治具を回転させ締め込み第一の部材の位置決め穴内に嵌合させる工程と、
（５）テーパ部が第一の部材に当接した状態で、位置決め治具を締め込むことによって、第一の部材の位置決め穴と第二の部材の位置決め孔の位置合せを行なう工程と、
（６）第一の部材と第二の部材を位置決めした後、締結ボルトを螺設穴及び螺設孔に螺合させ、第一の部材と第二の部材を固定する工程とからなることを特徴とする。
【手続補正７】
【補正対象書類名】明細書
【補正対象項目名】００２８
【補正方法】変更
【補正の内容】
【００２８】
削除